【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
発展型ノードＢ（ｅＮＢ）によるワイヤレス通信のための方法であって、
１つまたは複数のユーザ機器（ＵＥ）の異なるグループに、アップリンク・サブフレーム内で、リソースの異なるグループを割り当てることと、ここにおいて、各ＵＥは前記アップリンク・サブフレーム内でコンテンション・ベースのアクセスのためにその割り当てられたグループからリソースを選択する、
リソースの前記割り当てられたグループに、少なくとも部分的に、基づいて前記アップリンク・サブフレームにおいて前記ＵＥから受信されたアップリンク送信を復号することと、ここにおいて、前記復号することは、
成功裏に復号されない少なくとも１つのアップリンク送信から復調参照信号（ＤＭＲＳ）を検出することと、
前記検出されたＤＭＲＳに基づいて、前記アップリンク送信を送ったＵＥを識別することと、
前記識別されたＵＥにアップリンク割り当てを送信することと、
を備える、
を備える方法。
【請求項２】
前記割り当てることは、
サブフレーム未満の持続時間の送信時間インターバル（ＴＴＩ）に対応するリソースの少なくとも１つのグループを、１つまたは複数のＵＥのグループに、割り当てることを備える、請求項１に記載の方法。
【請求項３】
前記ＴＴＩは、サブフレームの１つの時間スロット未満の持続時間を有する、請求項２に記載の方法。
【請求項４】
前記ＵＥの少なくとも１つからのアップリンク送信においてバッファ・ステータス・レポート（ＢＳＲ）を受信することと、
前記ＵＥの少なくとも１つからの次の送信のために、前記ＢＳＲに応答して、アップリンク許可を送信することと、
をさらに備える請求項２に記載の方法。
【請求項５】
ワイヤレス通信のための装置であって、
１つまたは複数のユーザ機器（ＵＥ）の異なるグループに、アップリンク・サブフレーム内で、リソースの異なるグループを割り当てるための手段と、ここにおいて、各ＵＥは前記アップリンク・サブフレーム内でコンテンション・ベースのアクセスのためにその割り当てられたグループからリソースを選択する、および、
リソースの前記割り当てられたグループに、少なくとも部分的に、基づいて前記アップリンク・サブフレームにおいて前記ＵＥから受信されたアップリンク送信を復号するための手段と、ここにおいて、前記復号するための手段は、
成功裏に復号されない少なくとも１つのアップリンク送信から復調参照信号（ＤＭＲＳ）を検出するための手段と、
前記検出されたＤＭＲＳに基づいて、前記アップリンク送信を送ったＵＥを識別するための手段と、
前記識別されたＵＥにアップリンク割り当てを送信するための手段と、
を備える、
を備える装置。
【請求項６】
前記割り当てるための手段は、
サブフレーム未満の持続時間の送信時間インターバル（ＴＴＩ）に対応するリソースの少なくとも１つのグループを、１つまたは複数のＵＥのグループに、割り当てるための手段を備える、請求項５に記載の装置。
【請求項７】
前記ＴＴＩは、サブフレームの１つの時間スロット未満の持続時間を有する、請求項６に記載の装置。
【請求項８】
記憶された命令を有するワイヤレス通信のためのコンピュータ可読媒体であって、前記命令は、請求項１〜請求項４のうちのいずれかに記載の方法を実行するために１つまたは複数のプロセッサによって実行可能である、コンピュータ可読媒体。
【手続補正２】
【補正対象書類名】明細書
【補正対象項目名】００８４
【補正方法】変更
【補正の内容】
【００８４】
［0090］  本開示の前述の説明は、当業者の誰もが本開示を使用および生成することを可能にするために、提供されている。本開示に対するさまざまな変更は、当業者には容易に理解されるものであり、ここに定義される一般的な原則は、本開示の範囲または精神を逸脱することなく、他の変形にも適用され得る。かくして、本開示は、本明細書で説明される例および設計に限定されるように意図されたものではなく、本明細書で開示された原理および新規の特徴と一貫する最大範囲が与えられるべきである。
以下に本願の出願当初の特許請求の範囲に記載された発明を付記する。
[Ｃ１]  発展型ノードＢ（ｅＮＢ）によるワイヤレス通信のための方法であって、
１つまたは複数のユーザ機器（ＵＥ）の異なるグループに、アップリンク・サブフレーム内で、リソースの異なるグループを割り当てることと、ここにおいて、各ＵＥは前記アップリンク・サブフレーム内でコンテンション・ベースのアクセスのためにその割り当てられたグループからリソースを選択する、
リソースの前記割り当てられたグループに、少なくとも部分的に、基づいて前記アップリンク・サブフレームにおいて前記ＵＥから受信されたアップリンク送信を復号することと、を備える方法。
[Ｃ２]  前記割り当てることは、
サブフレーム未満の持続時間の送信時間インターバル（ＴＴＩ）に対応するリソースの少なくとも１つのグループを、１つまたは複数のＵＥのグループに、割り当てることを備える、Ｃ１に記載の方法。
[Ｃ３]  前記ＴＴＩは、サブフレームの１つの時間スロット未満の持続時間を有する、Ｃ２に記載の方法。
[Ｃ４]  前記ＵＥの少なくとも１つからのアップリンク送信においてバッファ・ステータス・レポート（ＢＳＲ）を受信することと、
前記ＵＥの少なくとも１つからの次の送信のために、前記ＢＳＲに応答して、アップリンク許可を送信することと、をさらに備えるＣ２に記載の方法。
[Ｃ５]  前記割り当てることは、グループ内の各ＵＥに異なる直交符号を割り当てることを備え、および、
前記復号することは、前記直交符号を使用して異なるＵＥを区別することを備える、Ｃ１に記載の方法。
[Ｃ６]  前記復号することは、
別のＵＥからのアップリンク送信を復号するために、前記区別されたＵＥのうちの少なくとも１つからのアップリンク送信に基づいて、干渉除去を実行することを備える、Ｃ５に記載の方法。
[Ｃ７]  前記割り当てることは、１つのグループ内の各ＵＥに異なる循環シフトまたはルート・シーケンスを割り当てることを備え、および、
前記復号することは、前記異なる循環シフトまたはルート・シーケンスを使用して異なるＵＥを区別することを備える、Ｃ１に記載の方法。
[Ｃ８]  前記復号することは、
別のＵＥからのアップリンク送信を復号するために、前記区別されたＵＥのうちの少なくとも１つからのアップリンク送信に基づいて、干渉除去を実行することを備える、Ｃ７に記載の方法。
[Ｃ９]  前記復号することは、
成功裏に復号されない少なくとも１つのアップリンク送信から復調参照信号（ＤＭＲＳ）を検出することと、
前記検出されたＤＭＳＲに基づいて前記アップリンク送信を送信したＵＥを識別することと、および、
前記識別されたＵＥにアップリンク割り当てを送信することと、を備える、Ｃ１に記載の方法。
[Ｃ１０]  前記復号することは、
別のＵＥからのアップリンク送信を復号するために、少なくとも１つのＵＥからのアップリンク送信の少なくとも部分的な復号に基づいて、干渉除去を実行することを備える、Ｃ１に記載の方法。
[Ｃ１１]  前記割り当てることは、
符号化速度、ハイブリッド自動再送要求（ＨＡＲＱ）ターミネーション・ターゲット、ＨＡＲＱプロセスにおける再送の数、または前記異なるＵＥのトラフィック・ニーズ、のうちの少なくとも１つに基づいてＵＥの異なるグループにリソースの異なるグループを割り当てることを備える、Ｃ１０に記載の方法。
[Ｃ１２]  ワイヤレス通信のための装置であって、
１つまたは複数のユーザ機器（ＵＥ）の異なるグループに、アップリンク・サブフレーム内で、リソースの異なるグループを割り当てるための手段と、ここにおいて、各ＵＥは、前記アップリンク・サブフレーム内でコンテンション・ベースのアクセスのためにその割り当てられたグループからリソースを選択する、および、
リソースの前記割り当てられたグループに、少なくとも部分的に、基づいて前記アップリンク・サブフレームにおいて前記ＵＥから受信されたアップリンク送信を復号するための手段と、を備える装置。
[Ｃ１３]  前記割り当てるための手段は、
サブフレーム未満の持続時間の送信時間インターバル（ＴＴＩ）に対応するリソースの少なくとも１つのグループを、１つまたは複数のＵＥのグループに、割り当てるための手段を備える、Ｃ１２に記載の装置。
[Ｃ１４]  前記ＴＴＩは、サブフレームの１つのタイム・スロット未満の持続時間を有する、Ｃ１３に記載の装置。
[Ｃ１５]  前記割り当てるための手段は、１つのグループ内の各ＵＥに異なる循環シフトまたはルート・シーケンスを割り当てるための手段を備える、および、
前記復号するための手段は、前記異なる循環シフトまたはルート・シーケンスを使用して異なるＵＥを区別するための手段を備える、Ｃ１２に記載の装置。
[Ｃ１６]  前記復号するための手段は、
別のＵＥからのアップリンク送信を復号するために、前記区別されたＵＥのうちの少なくとも１つからのアップリンク送信に基づいて、干渉除去を実行するための手段を備える、Ｃ１５に記載の装置。
[Ｃ１７]  前記復号するための手段は、
成功裏に復号されない少なくとも１つのアップリンク送信から復調参照信号（ＤＭＲＳ）を検出するための手段と、
前記検出されたＤＭＲＳに基づいて前記アップリンク送信を送信したＵＥを識別するための手段と、および、
前記識別されたＵＥにアップリンク割り当てを送信するための手段と、を備えるＣ１２に記載の装置。
[Ｃ１８]  前記復号するための手段は、
別のＵＥからのアップリンク送信を復号するために、少なくとも１つのＵＥからのアップリンク送信の少なくとも部分的な復号に基づいて、干渉除去を実行するための手段を備える、Ｃ１２に記載の装置。
[Ｃ１９]  少なくとも１つのプロセッサおよび前記少なくとも１つのプロセッサに結合されたメモリを備えるワイヤレス通信のための装置であって、
前記少なくとも１つのプロセッサは、
１つまたは複数のユーザ機器（ＵＥ）の異なるグループに、アップリンク・サブフレーム内で、リソースの異なるグループを割り当てるように、ここにおいて、各ＵＥは、前記アップリンク・サブフレーム内でコンテンション・ベースのアクセスのためにその割り当てられたグループからリソースを選択する、および、
リソースの前記割り当てられたグループに、少なくとも部分的に、基づいて前記アップリンク・サブフレームにおいて前記ＵＥから受信されたアップリンク送信を復号するように、構成されている、装置。
[Ｃ２０]  前記割り当てることは、
サブフレーム未満の持続時間の送信時間インターバル（ＴＴＩ）に対応するリソースの少なくとも１つのグループを、１つまたは複数のＵＥのグループに割り当てることを備える、Ｃ１９に記載の装置。
[Ｃ２１]  前記ＴＴＩは、サブフレームの１つの時間スロット未満の持続時間を有する、Ｃ２０に記載の装置。
[Ｃ２２]  前記割り当てることは、グループ内で各ＵＥに異なる循環シフトまたはルート・シーケンスを割り当てることを備え、および、
前記復号することは、前記異なる循環シフトまたはルート・シーケンスを使用して異なるＵＥを区別することを備える、Ｃ１９に記載の装置。
[Ｃ２３]  前記復号することは、
別のＵＥからのアップリンク送信を復号するために、前記区別されたＵＥのうちの少なくとも１つからのアップリンク送信に基づいて、干渉除去を実行することを備える、Ｃ２２に記載の装置。
[Ｃ２４]  前記割り当てることは、グループ内の各ＵＥに異なる循環シフトまたはルート・シーケンスを割り当てることを備え、および、
前記復号することは、前記異なる循環シフトまたはルート・シーケンスを使用して異なるＵＥを区別することを備える、Ｃ１９に記載の装置。
[Ｃ２５]  記憶された命令を有するワイヤレス通信のためのコンピュータ可読媒体であって、前記命令は、
１つまたは複数のユーザ機器（ＵＥ）の異なるグループに、アップリンク・サブフレーム内で、リソースの異なるグループを割り当てることと、ここにおいて、各ＵＥは、前記アップリンク・サブフレーム内でコンテンション・ベースのアクセスのためにそれの割り当てられたグループからリソースを選択する、および、
リソースの前記割り当てられたグループに、少なくとも部分的に、基づいて前記アップリンク・サブフレームにおいて前記ＵＥから受信されたアップリンク送信を復号すること、のために１つまたは複数のプロセッサによって実行可能である、コンピュータ可読媒体。
[Ｃ２６]  前記割り当てることは、
サブフレーム未満の持続時間の送信時間インターバル（ＴＴＩ）に対応するリソースの少なくとも１つのグループを、１つまたは複数のＵＥのグループに、割り当てることを備える、Ｃ２５に記載のコンピュータ可読媒体。
[Ｃ２７]  前記ＴＴＩは、サブフレームの１つの時間スロット未満の持続時間を有する、Ｃ２６に記載のコンピュータ可読媒体。
[Ｃ２８]  前記割り当てることは、１つのグループ内で各ＵＥに異なる循環シフトまたはルート・シーケンスを割り当てることを備え、および、
前記復号することは、前記異なる循環シフトまたはルート・シーケンスを使用して異なるＵＥを区別することを備える、Ｃ２５に記載のコンピュータ可読媒体。
[Ｃ２９]  前記復号することは、
別のＵＥからのアップリンク送信を復号するために、前記区別されたＵＥのうちの少なくとも１つからのアップリンク送信に基づいて、干渉除去を実行することを備える、Ｃ２８に記載のコンピュータ可読媒体。
[Ｃ３０]  前記復号することは、
成功裏に復号されない少なくとも１つのアップリンク送信から復調参照信号（ＤＭＲＳ）を検出することと、
前記検出されたＤＭＲＳに基づいて前記アップリンク送信を送信したＵＥを識別することと、および、
前記識別されたＵＥにアップリンク割り当てを送信することと、を備えるＣ２５に記載のコンピュータ可読媒体。